(57)【特許請求の範囲】
【請求項１】
複数の発光ダイオードを有する光源と、前記光源を支持して照明器具の器具本体に取り付けられる取付部材と、前記取付部材に取り付けられるカバーとを備え、
前記カバーは、前記光源を覆うように配置されて前記光源から放射される光を拡散する拡散部と、前記拡散部を挟んで前記光源と対向するように配置されて前記拡散部で拡散された前記光の配光を制御する配光制御部と、前記拡散部と前記配光制御部とを連結する連結部とを有することを特徴とする光源ユニット。
【請求項２】
前記配光制御部は、板状に形成され、
前記連結部は、前記配光制御部を抜き差し可能に保持する保持溝を有することを特徴とする請求項１記載の光源ユニット。
【請求項３】
前記カバーは、透光性を有して前記配光制御部の前面を覆う透光部を有することを特徴とする請求項１又は２記載の光源ユニット。
【請求項４】
前記拡散部は、前記光源から離れる向きに凸となる曲面形状に形成されていることを特徴とする請求項１〜３のいずれか１項に記載の光源ユニット。
【請求項５】
請求項１〜４のいずれか１項の光源ユニットと、前記光源ユニットを支持する器具本体とを備えることを特徴とする照明器具。
【発明の詳細な説明】
【技術分野】
【０００１】
本発明は、光源ユニット及び照明器具に関し、より詳細には発光ダイオードを光源とする光源ユニット、及び、その光源ユニットを有する照明器具に関する。
【背景技術】
【０００２】
従来例として、特許文献１記載の光源ユニット及び照明器具を例示する。特許文献１記載の光源ユニットは、複数の発光ダイオード（ＬＥＤ）が実装されたＬＥＤ基板と、ＬＥＤ基板が取り付けられる取付部材と、拡散性を有しＬＥＤ基板を覆うようにして取付部材に取り付けられるカバー部材とを備える。
【０００３】
また、特許文献１記載の照明器具は、天井材に設けられる埋込孔を通して天井裏に設置される。この照明器具は、吊りボルトを用いて天井裏に設置される支持部材と、支持部材に取り付けられる反射板と、反射板に対して着脱可能に取り付けられる光源ユニットとを備える。
【先行技術文献】
【特許文献】
【０００４】
【特許文献１】特開２０１４−７８５１１号公報
【発明の概要】
【発明が解決しようとする課題】
【０００５】
特許文献１記載の従来例では、拡散性を有するカバー部材によって複数のＬＥＤから放射される光を拡散して照明空間に照射しているが、ＬＥＤの光を単に拡散させるだけではなく、様々な配光特性を有する光源ユニット及び照明器具が望まれている。
【０００６】
本発明の目的は、簡単な構成で様々な配光特性を実現可能な光源ユニット及び照明器具を提供することである。
【課題を解決するための手段】
【０００７】
本発明の一態様に係る光源ユニットは、複数の発光ダイオードを有する光源と、前記光源を支持して照明器具の器具本体に取り付けられる取付部材と、前記取付部材に取り付けられるカバーとを備える。前記カバーは、前記光源を覆うように配置されて前記光源から放射される光を拡散する拡散部と、前記拡散部を挟んで前記光源と対向するように配置されて前記拡散部で拡散された前記光の配光を制御する配光制御部とを有する。さらに、前記カバーは、前記拡散部と前記配光制御部とを連結する連結部を有する。
【０００８】
本発明の一態様に係る照明器具は、光源ユニットと、前記光源ユニットを支持する器具本体とを備える。
【発明の効果】
【０００９】
本発明の光源ユニット及び照明器具は、簡単な構成で様々な配光特性を実現可能にすることができるという効果がある。
【図面の簡単な説明】
【００１０】
【図１】図１は、本発明に係る実施形態１の照明器具及び光源ユニットの斜視図である。
【図２】図２は、同上の照明器具及び光源ユニットの分解斜視図である。
【図３】図３は、同上の光源ユニットを示し、エンド部材を省略した側面図である。
【図４】図４は、同上の光源ユニットの一部省略した分解斜視図である。
【図５】図５は、同上の光源ユニットの一部省略した分解斜視図である。
【図６】図６は、同上の光源ユニットに用いられる配光パネルの要部の斜視図である。
【図７】図７は、同上の光源ユニットに用いられる配光パネルを示し、２枚の配光パネルを連結した状態の正面図である。
【図８】図８は、同上の光源ユニットに用いられる配光パネルを示し、２枚の配光パネルを連結した状態の要部の正面図である。
【図９】図９は、本発明に係る実施形態２の照明器具及び光源ユニットの斜視図である。
【図１０】図１０Ａは、同上の照明器具及び光源ユニットの正面図である。図１０Ｂは、同上の照明器具及び光源ユニットの下面図である。
【図１１】図１１は、同上の照明器具及び光源ユニットを示し、図１０ＡにおけるＭ−Ｍ線断面矢視図である。
【図１２】図１２は、同上の光源ユニットの変形例１の断面図である。
【図１３】図１３は、同上の光源ユニットの変形例２の断面図である。
【発明を実施するための形態】
【００１１】
以下、本発明に係る実施形態の光源ユニット及び照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１２】
（実施形態１）
実施形態１の照明器具１００は、後述するように、天井板（天井仕上げ材）に設けられた埋込孔に埋め込まれるようにして天井板に取り付けられる照明器具（天井埋込型の照明器具）である。実施形態１の照明器具１００（以下、照明器具１００と略す）は、図１及び図２に示すように、実施形態１の光源ユニット２００（以下、光源ユニット２００と略す）と、器具本体６とを備える。ただし、以下の説明では、特に断りのない限り、図１に示す向きにおいて、照明器具１００及び光源ユニット２００の前後、上下、左右の各方向を規定する。すなわち、照明器具１００及び光源ユニット２００の長手方向を左右方向とし、照明器具１００及び光源ユニット２００の高さ方向を上下方向とし、照明器具１００及び光源ユニット２００の幅方向（短手方向）を前後方向とする。
【００１３】
器具本体６は、図１及び図２に示すように、天板ユニット６０と反射板ユニット６１と枠体６２とを有する。天板ユニット６０は、長尺の矩形平板状に形成された天板６００と、天板６００の前端及び後端から下向きに立ち下がる一対の側壁６０１とを有する。なお、天板ユニット６０は、例えは、亜鉛鋼板などの金属板が曲げ加工されることによって、天板６００と一対の側壁６０１とが一体に形成されることが好ましい。天板６００には、電源線が引き込まれる丸孔６０２が左右方向におけるほぼ中央に設けられている。さらに、天板６００には、吊りボルトが挿通される長孔６０３が左右方向における両端寄りの位置にそれぞれ設けられている。また、天板６００の下面における丸孔６０２の近くに端子台６３が取り付けられている。端子台６３は、丸孔６０２から引き込まれる電源線と電気的に接続される。なお、端子台６３から接地線を含む３本の電線が引き出されることが好ましい。これら３本の電線の先端には、プラグコネクタが電気的に接続されることが好ましい。
【００１４】
反射板ユニット６１は、図１に示すように、一対の第１反射板６１０と、一対の第２反射板６１１とを有する。一対の第１反射板６１０はそれぞれ、天板６００の左右方向の長さ寸法とほぼ同寸法である、長尺の矩形平板状に形成されている。一方の第１反射板６１０は、前側の側壁６０１の下端から下向き、かつ、前向きに傾斜するように設けられている。また、他方の第１反射板６１０は、後側の側壁６０１の下端から下向き、かつ、後向きに傾斜するように設けられている。一対の第２反射板６１１はそれぞれ、概ね台形状に形成されている。一方の第２反射板６１１は、前端が前側の第１反射板６１０の左端に結合され、後端が後側の第１反射板６１０の左端に結合されている。他方の第２反射板６１１は、前端が前側の第１反射板６１０の右端に結合され、後端が後側の第１反射板６１０の右端に結合されている。つまり、反射板ユニット６１は、上面及び下面が開放された長尺の四角錐台形状に形成されている。
【００１５】
枠体６２は、長尺の矩形枠状に形成されている。枠体６２は、反射板ユニット６１の下端に結合されている（図１及び図２参照）。
【００１６】
上述のように構成される器具本体６は、天井板（天井仕上げ材）に設けられた矩形の埋込孔に天板ユニット６０及び反射板ユニット６１が挿入され、天井スラブから垂下されている吊りボルトに天板ユニット６０の天板６００が取り付けられる。なお、枠体６２は、天井材の下面（天井面）に下から当たり、天井材の埋込孔の縁と反射板ユニット６１との隙間を塞ぐように構成されている。
【００１７】
光源ユニット２００は、図２及び図３に示すように、複数（図示例では２つ）のＬＥＤモジュール１、取付部材２、カバー３、配光パネル４、電源ユニット５などを備える。
【００１８】
ＬＥＤモジュール１は、図２に示すように、複数個の発光ダイオード（ＬＥＤ）１０と、基板１１とを有する。基板１１は、左右方向を長手方向とする矩形の平板状に形成されている。ＬＥＤ１０は、例えば、白色光を放射する白色発光ダイオードであり、基板１１の下面における前後方向（短手方向）の中央に、左右方向（長手方向）に沿って等間隔かつ１列に並べて実装されている。また、一方のＬＥＤモジュール１の端部に、電源ユニット５との間を電気的に接続するためのコネクタが実装されている。また、２つのＬＥＤモジュール１において隣接するＬＥＤモジュール１と対向する端部には、電源供給用のコネクタがそれぞれ実装されている。そして、２つのＬＥＤモジュール１のコネクタ同士が電気的に接続されることで、一方のＬＥＤモジュール１から他方のＬＥＤモジュール１に点灯電力（電源ユニット５から供給される直流電力）が送られる。
【００１９】
取付部材２は、長尺の矩形平板状に形成されている底板２０と、長尺の矩形平板状に形成されて底板２０の左右方向に沿った両端から上向きに突出する一対の側板２１とを有する。なお、取付部材２は、亜鉛鋼板などの金属板が曲げ加工されることにより、底板２０と一対の側板２１のそれぞれとが一体に形成されることが好ましい。また、一対の側板２１のそれぞれの上端には、概ね円筒形状の被引掛部２２が設けられている（図３参照）。
【００２０】
底板２０は、前後方向の中央部分が上向きに凹んでおり、その中央部分にＬＥＤモジュール１が配置されている。また、底板２０の中央部分における前後両端には、複数の固定片２３が左右方向に間隔を空けて切り起こされている（図３参照）。これら複数の固定片２３は、先端部分が内向きに曲げられることにより、ＬＥＤモジュール１の基板１１を支持するように構成されている。
【００２１】
また、取付部材２は、一対の引掛金具２４と、一対の引掛ばね２５とを備えることが好ましい。一対の引掛金具２４のそれぞれの先端が鈎形に形成されている。また、一対の引掛金具２４のそれぞれの先端部分が後側の側板２１の上を乗り越えるように、底板２０の左右両端の近傍に設けられている（図３参照）。これら一対の引掛金具２４はそれぞれ、器具本体６に設けられている一対の引掛孔６４のうちの対応する引掛孔６４に引っ掛けられる（図２参照）。また、一対の引掛ばね２５はそれぞれ、ねじりコイルばねで構成されている。一対の引掛ばね２５のうちの１つの引掛ばね２５は、底板２０の前端における左端の近傍に設けられている。一対の引掛ばね２５のうちの残り１つの引掛ばね２５は、底板２０の前端における右端の近傍に設けられている（図３参照）。これら一対の引掛ばね２５はそれぞれ、器具本体６に設けられている一対のばね受け金具のうちの対応するばね受け金具に一方の端が引っ掛けられる。つまり、取付部材２は、一対の引掛金具２４と一対の引掛ばね２５とによって、器具本体６に着脱可能に取り付けられる。
【００２２】
電源ユニット５は、電源基板と、電源基板を収容するケース５０とを有する（図３参照）。電源基板は、左右方向に長い矩形板状に形成されたプリント配線板からなり、このプリント配線板には、少なくともＬＥＤモジュール１の点灯電力を生成するために必要な回路部品（例えば、トランスやダイオード、コンデンサなど）が実装されている。また、電源基板の左端にはレセプタクルコネクタ５１が実装されている。このレセプタクルコネクタ５１には、端子台６３から引き出されている３本の電線の先端に設けられているプラグコネクタが挿抜可能に接続される。ケース５０は、金属材料によって矩形箱状に形成されている。また、ケース５０は、例えば、ねじなどを用いて取付部材２の底板２０の上面に取り付けられることが好ましい（図３参照）。
【００２３】
カバー３は、図２に示すように、カバー本体３０と一対のエンド部材３１とを有する。カバー本体３０は、前板部３００、拡散部３０１、一対の側板部３０２、一対の第１突板部３０３、一対の第２突板部３０４、一対の引掛部３０５などを有する（図３参照）。前板部３００は、左右方向を長手方向とする長尺の矩形板状に形成されている。拡散部３０１は、長手方向（左右方向）からみた形状が下に凸となる曲面を有した長尺の半筒状に形成されている。一対の第１突板部３０３はそれぞれ、長尺の矩形板状に形成されている。一方の第１突板部３０３は、拡散部３０１の長手方向に沿った前端から前方へ突出している。他方の第１突板部３０３は、拡散部３０１の長手方向に沿った後端から後方へ突出している。一対の側板部３０２はそれぞれ、長手方向（左右方向）からみた形状がおおよそＶ字状となる長尺の矩形板状に形成されている。一方の側板部３０２は、前板部３００の前端と前側の第１突板部３０３の前端とを連結するように形成されている。他方の側板部３０２は、前板部３００の後端と後側の第１突板部３０３の後端とを連結するように形成されている。ここで、前側の側板部３０２には、下部の後面から前板部３００の上面と平行に突出する幅細の突起３０６０が左右方向の全長に渡って設けられている。同じく、後側の側板部３０２には、下部の前面から前板部３００の上面と平行に突出する幅細の突起３０６０が左右方向の全長に渡って設けられている。なお、これら一対の突起３０６０のそれぞれと前板部３００との間に形成される長尺の空間（隙間）を保持溝３０６と呼ぶ。
【００２４】
一対の第２突板部３０４はそれぞれ、長尺の矩形板状に形成されている。一方の第２突板部３０４は、前側の第１突板部３０３の上面における前後方向のほぼ中央から上向きに起立するように形成されている。他方の第２突板部３０４は、後側の第１突板部３０３の上面における前後方向のほぼ中央から上向きに起立するように形成されている。また、一対の第２突板部３０４はそれぞれ、一対のねじ挿通孔が設けられている。これら一対のねじ挿通孔はそれぞれ、長手方向を左右方向とする長孔からなり、第２突板部３０４における左右方向の中央に対してほぼ等距離となる位置に設けられている。一対の引掛部３０５はそれぞれ、長手方向（左右方向）からみた形状がおおよそＣ字状となる長尺の半筒状に形成されている。一方の引掛部３０５は、前側の第２突板部３０４の上端から上向きに突出し、かつ、開口を後方に向けるように形成されている。他方の引掛部３０５は、後側の第２突板部３０４の上端から上向きに突出し、かつ、開口を前方に向けるように形成されている。
【００２５】
ところで、前板部３００、拡散部３０１、一対の側板部３０２、一対の第１突板部３０３、一対の第２突板部３０４、一対の引掛部３０５及び一対の突起３０６０は、合成樹脂材料（例えば、ポリカーボネート樹脂）で一体に形成されている。ただし、前板部３００を除く拡散部３０１、一対の側板部３０２、一対の第１突板部３０３、一対の第２突板部３０４、一対の引掛部３０５及び一対の突起３０６０はそれぞれ、例えば、アクリル樹脂やシリコーン樹脂の微粒子を原料とする拡散材が混入されている。一方、前板部３００は、拡散材が混入されていないために無色透明（透過率がほぼ１００％）である。さらに、拡散部３０１と一対の側板部３０２はそれぞれ、例えば、透過率が６０％〜９０％程度となる分量の拡散材が混入されている。これに対して、一対の第１突板部３０３、一対の第２突板部３０４及び一対の引掛部３０５のそれぞれは、透過率がほぼ０％、つまり、不透過となる分量の拡散材が混入されている。なお、このようなカバー本体３０は、多色の押出成形によって形成されることが好ましい。
【００２６】
一対のエンド部材３１はそれぞれ、カバー本体３０の前板部３００、拡散部３０１、一対の側板部３０２、一対の第１突板部３０３を長手方向（左右方向）からみたときの外形とおおよそ同じ形状の板状に形成されている（図４及び図５参照）。そして、一対のエンド部材３１はそれぞれ、カバー本体３０の保持溝３０６に配光パネル４が保持されている状態でカバー本体３０の左端及び右端に装着される。なお、これら一対のエンド部材３１はそれぞれ、接着や超音波溶着などの適宜の方法でカバー本体３０と接合されることが好ましい。
【００２７】
配光パネル４は、例えば、アクリル樹脂等の透光性を有する合成樹脂材料によって、長尺の矩形板状に形成されている（図２参照）。また、配光パネル４は、片面（上面）が平坦に形成され、もう片面に多数のプリズム４０が形成されている。これらのプリズム４０は、図４及び図５に示すように、長手方向を前後方向とする長尺の三角柱状であって、配光パネル４の長手方向（左右方向）に沿って互いに平行かつ等間隔に並ぶように設けられている。配光パネル４は、図３に示すように、プリズム４０が設けられている面（以下、プリズム面と呼ぶ）を前板部３００に向けた状態で、前端部分及び後端部分がそれぞれカバー本体３０の一対の保持溝３０６に保持されている。ただし、配光パネル４は、図４及び図５に示すように、カバー本体３０の長手方向（左右方向）の一端側から保持溝３０６に挿入されることが好ましい。この配光パネル４は、拡散部３０１で拡散されたＬＥＤモジュール１の光（照明光）を集光することにより、長手方向（左右方向）からみたときの不快グレアの抑制を図ることができる。
【００２８】
ここで、カバー３は、上述した配光パネル４の代わりに、別の配光パネルを保持溝３０６に保持することができる。例えば、別の配光パネル７は、図６に示すように、四角錐台形状の凹みからなる多数のプリズム７０が片面（下面）に縦横に並べて設けられてもよい。この配光パネル７は、長手方向の寸法がカバー本体３０の長手方向の寸法よりも短い矩形板状に形成されている。また、配光パネル７の短手方向（前後方向）に沿った一対の短辺のうちの一方の短辺における両端（前後両端）に、台形状の突部７１がそれぞれ設けられている。さらに、配光パネル７の短手方向（前後方向）に沿った一対の短辺のうちの他方の短辺における両端（前後両端）に、台形状の凹部７２がそれぞれ設けられている。すなわち、２枚の配光パネル７は、図７及び図８に示すように、一方の配光パネル７（７Ａ）の一対の突部７１がそれぞれ、他方の配光パネル７（７Ｂ）の一対の凹部７２のうちの対応する凹部７２に嵌まり合うことにより、長手方向に沿って連結される。ただし、図７では２枚の配光パネル７を連結した状態を図示しているが、配光パネル７は長手方向の一端に一対の突部７１を有し、長手方向の他端に一対の凹部７２を有しているので、３枚以上の配光パネル７を連結することも可能である。ここで、配光パネル７は、配光パネル４の厚み（高さ）に揃えるため、プリズム７０が設けられている面（プリズム面と呼ぶ）と反対側の面の短手方向の両端に、長手方向に沿った突条部７３が設けられている。ただし、配光パネル７の反りを抑制するため、これらの突条部７３は、長手方向において、隙間を空けて設けられることが好ましい（図７参照）。さらに、配光パネル７は、プリズム面と反対側の面において、一対の突部７１及び一対の凹部７２と長手方向に沿って並ぶ位置に、それぞれリブ７４が設けられている。これらのリブ７４は、配光パネル７がプリズム面を逆（ＬＥＤモジュール１側）に向けて保持溝３０６に挿入されようとした場合、カバー本体３０の前板部３００に干渉して配光パネル７が保持溝３０６に挿入されないように構成されている。これらのリブ７４により、配光パネル７が誤った向きでカバー本体３０の保持溝３０６に保持されることが回避される。この配光パネル７もまた、拡散部３０１で拡散されたＬＥＤモジュール１の照明光を集光することにより、長手方向（左右方向）からみたときの不快グレアの抑制を図ることができる。
【００２９】
次に、光源ユニット２００の組立手順を説明する。組立作業を行う作業者は、電源ユニット５を取付部材２の底板２０の上面側に取り付け、さらに、ＬＥＤモジュール１を取付部材２の底板２０の上面に固定する。続いて、作業者は、電源ユニット５の出力線を取付部材２の底板２０に設けられた孔に挿通し、出力線の先端に設けられているプラグコネクタを、ＬＥＤモジュール１の端部に設けられているコネクタ（レセプタクルコネクタ）に差込接続する。
【００３０】
また、作業者は、配光パネル４（又は７）をカバー本体３０の一端側から保持溝３０６に挿入した後、カバー本体３０の両端にそれぞれエンド部材３１を装着し接合することでカバー３を組み立てる。そして、作業者は、カバー３の一対の第２突板部３０４の間に取付部材２を挿入し、一対の第２突板部３０４の上端の引掛部３０５を取付部材２の一対の側板２１の被引掛部２２にそれぞれ引っ掛ける。さらに、作業者は、カバー３の一対の第２突板部３０４のそれぞれに設けられている複数のねじ挿通孔にそれぞれ段付きねじ３２を挿通し、これらの段付きねじ３２をそれぞれ、一対の側板２１のうちの対応する側板２１に設けられているねじ孔にねじ込む（図３参照）。以上のような手順で光源ユニット２００が組み立てられる。
【００３１】
上述のように光源ユニット２００は、複数の発光ダイオード（ＬＥＤ１０）を有する光源（ＬＥＤモジュール１）と、ＬＥＤモジュール１を支持して照明器具１００の器具本体６に取り付けられる取付部材２と、取付部材２に取り付けられるカバー３とを備える。カバー３は、ＬＥＤモジュール１を覆うように配置されてＬＥＤモジュール１から放射される光を拡散する拡散部３０１を有する。また、カバー３は、拡散部３０１を挟んでＬＥＤモジュール１と対向するように配置されて拡散部３０１で拡散された光の配光を制御する配光制御部（配光パネル４又は７）を有する。さらに、カバー３は、拡散部３０１と配光パネル４（又は７）とを連結する連結部（側板部３０２及び前板部３００）を有する。
【００３２】
光源ユニット２００が上述のように構成されれば、カバー３が有する配光制御部（配光パネル４、７）により、簡単な構成で様々な配光特性が実現可能となる。例えば、直管形の蛍光ランプや直管形のＬＥＤランプを光源とする照明器具において、不快グレアを抑制するために器具本体に多数のルーバが取り付けられていた。これに対して、本実施形態に係る光源ユニット２００は、カバー３に設けられる配光パネル４（又は７）によって配光制御を行い、不快グレアの抑制などを行うことができる。つまり、光源ユニット２００は、ルーバを用いる場合と異なり、器具本体６や取付部材２に配光パネル４（又は７）を保持させるための構造を追加する必要が無いので、簡単な構成で様々な配光特性を実現することができる。ただし、配光パネル４（又は７）の代わりに、プリズムが形成された前板部３００が配光制御部とされてもよい。
【００３３】
また、光源ユニット２００において、配光パネル４（又は７）は、板状に形成されることが好ましい。一対の側板部３０２及び前板部３００はそれぞれ、配光パネル４（又は７）を抜き差し可能に保持する保持溝３０６を有することが好ましい。
【００３４】
光源ユニット２００が上述のように構成されれば、配光パネル４（又は７）のみを入れ替えることで様々な配光特性を有するカバー３を実現することができる。つまり、配光パネル４（又は７）以外のカバー本体３０を、様々な配光特性のカバー３において共用することができるので、光源ユニット２００の製造コストの低減を図ることができる。
【００３５】
さらに、光源ユニット２００において、カバー３は、透光性を有して配光パネル４（又は７）の前面（下面）を覆う透光部（前板部３００）を有することが好ましい。
【００３６】
光源ユニット２００が上述のように構成されれば、前板部３００によって配光パネル４（又は７）を保護することができる。例えば、配光パネル４（又は７）の下面に形成されているプリズム４０（又は７０）が前板部３００で保護されていない場合、物が当たってプリズム４０（又は７０）が欠けてしまうといった不具合が発生するおそれがある。
【００３７】
またさらに、光源ユニット２００において、拡散部３０１は、ＬＥＤモジュール１から離れる向き（下向き）に凸となる曲面形状に形成されていることが好ましい。
【００３８】
光源ユニット２００が上述のように構成されれば、ＬＥＤモジュール１から放射される光を広い範囲に拡散させることができる。
【００３９】
次に、照明器具１００の施工手順を説明する。まず、施工作業を行う作業者は、天井裏の躯体に設けられている複数の吊りボルトを器具本体６の複数の長孔６０３にそれぞれ挿通し、これら複数の吊りボルトにナットをねじ込むことで器具本体６を吊りボルトに固定する。続いて、作業者は、天板６００の丸孔６０２から引き込んだ電源線を端子台６３に電気的に接続する。それから、作業者は、取付部材２に設けられた一対の引掛金具２４のそれぞれを器具本体６の一対の引掛孔６４のうちの対応する引掛孔６４に引っ掛けた後、端子台６３から引き出されている３本の電線の先端に設けられているプラグコネクタを電源ユニット５のレセプタクルコネクタ５１に接続する。それから、作業者は、取付部材２に設けられている一対の引掛ばね２５のそれぞれの先端を、器具本体６に設けられている一対のばね受け金具のうちの対応するばね受け金具に引っ掛けた後、一対の引掛金具２４を支点に光源ユニット２００を回転させる。すると、一対の引掛ばね２５がそれぞればね受け金具に引っ掛かったままで元の状態に戻ることにより、一対の引掛ばね２５のばね力で光源ユニット２００が器具本体６に保持される（図１参照）。以上のような手順で照明器具１００が天井に施工される。
【００４０】
上述のように照明器具１００は、光源ユニット２００と、光源ユニット２００を支持する器具本体６とを備える。
【００４１】
照明器具１００が上述のように構成されれば、簡単な構成で様々な配光特性を実現することができる。
【００４２】
（実施形態２）
実施形態２の照明器具１１０及び光源ユニット２１０は、例えば、建物の避難経路となる階段の踊り場の壁面に設置される、いわゆる階段通路誘導灯である。ただし、実施形態２の照明器具１１０及び光源ユニット２１０の説明において、形状等が多少異なっていても、実施形態１の照明器具１００及び光源ユニット２００と機能的に共通の構成要素には同一の符号を付して適宜説明を省略する。また、以下の説明では、特に断りのない限り、図９において、照明器具１１０及び光源ユニット２１０の前後、上下、左右の各方向を規定する。
【００４３】
実施形態２の照明器具１１０は、図９〜図１１に示すように光源ユニット（常用光源ユニット２１０）と、２つの非常用光源ユニット８と、器具本体９と、非常用電源ユニットと、電池ユニット９８と、制御ユニット９７と、人検知ユニット９９とを備えることが好ましい。
【００４４】
器具本体９は、長尺の矩形平板状に形成される背板９０と、長尺の矩形平板状であり、かつ、背板９０よりも短い上板９１及び下板９２とを有する（図９参照）。ただし、背板９０と上板９１及び下板９２とは、金属板が曲げ加工されることで一体に形成されることが好ましい。
【００４５】
背板９０の前面に、複数（図示例では２つ）の端子台９３が取り付けられている（図１１参照）。これらの端子台９３には、給電線や、建物に設置されている自動火災報知設備から火災信号を受信するための信号線などが電気的に接続される。背板９０は、常用光源ユニット２１０の縦寸法（上下方向の幅寸法）よりも縦寸法が大きく形成されている（図１１参照）。また、上板９１の前端から矩形平板状の第１前板９４が下向きに突出し、下板９２の前端から矩形平板状の第２前板９５が上向きに突出している（図１１参照）。
【００４６】
電池ユニット９８は、ニッケル水素電池などの２次電池を複数有し、これら複数の２次電池が合成樹脂成形体のケースに収容されて構成される。なお、電池ユニット９８は、第１前板９４に隠れるようにして背板９０の前面に取り付けられている（図１１参照）。
【００４７】
非常用電源ユニットは、常用電源から給電される交流電力を直流電力に変換して電池ユニット９８を充電する充電回路と、常用電源が停電したときに電池ユニット９８から非常用光源ユニット８に供給される直流電流を調整する点灯回路とを有する。さらに、非常用電源ユニットは、点検スイッチが押操作されたとき、充電回路を強制的に停止し、かつ、電池ユニット９８から給電される直流電力で点灯回路に非常用光源ユニット８を点灯させるように構成される。なお、非常用電源ユニットは、第１前板９４に隠れるようにして背板９０の前面に取り付けられることが好ましい。
【００４８】
点検スイッチは、合成樹脂製の箱体９６に収容され、下板９２の右端近傍に取り付けられることが好ましい（図１０Ｂ参照）。なお、箱体９６内には、押釦スイッチからなる点検スイッチの他に、赤外線を媒体とするワイヤレス信号を受信する受光素子などが収容されている。そして、箱体９６の下面には、複数の孔９６０が設けられ、これらの孔９６０を通して点検スイッチの押釦の押操作や、受光素子によるワイヤレス信号の受信が可能となっている。なお、非常用電源ユニットは、受光素子でワイヤレス信号を受信した場合も、点検スイッチが押操作されたときと同じく、充電回路を強制的に停止し、かつ、電池ユニット９８から給電される直流電力で点灯回路に非常用光源ユニット８を点灯させる。
【００４９】
人検知ユニット９９は、電波センサ９９０と、センサ取付台９９１とを有する。電波センサ９９０は、ミリ波帯の電波を媒体として人（移動体）を検知し、人を検知したときに人検知信号を制御ユニット９７に出力するように構成される。センサ取付台９９１は、電波センサ９９０を保持し、背板９０の長手方向における中央下部の前面に取り付けられている（図１１参照）。ただし、電波センサ９９０は、第２前板９５の長手方向における中央に設けられた孔に挿通されて、第２前板９５よりも前へ突出している（図９参照）。そして、常用光源ユニット２１０は、第１前板９４と第２前板９５との間に収まるように、器具本体９に取り付けられる（図９参照）。
【００５０】
制御ユニット９７は、常用電源から給電されて動作し、人検知ユニット９９（の電波センサ９９０）から出力される人検知信号に応じて、常用光源ユニット２１０を制御するように構成される。制御ユニット９７は、人検知ユニット９９から人検知信号が出力されているとき、常用光源ユニット２１０に定格点灯するように指示するための制御信号を出力する。また、制御ユニット９７は、人検知信号が出力されなくなってから所定の待機時間（例えば、数十秒から数分）が経過したとき、常用光源ユニット２１０に消灯又は定格点灯時よりも少ない光量で点灯するように指示するための制御信号を出力する。ただし、制御ユニット９７は、常用電源が停電したときは全ての動作を停止する。
【００５１】
非常用光源ユニット８は、非常用ＬＥＤモジュール８０と、取付台８１と、ユニットカバー８２とを備える（図９及び図１０参照）。非常用ＬＥＤモジュール８０は、ＬＥＤと、レンズ８０１と、ホルダとを有する。ＬＥＤは、例えば、ＣＯＢ（チップ・オン・ボード）型の白色発光ダイオードである。レンズ８０１は、例えば、ガラス製であって、ＬＥＤの前方を被っている。
【００５２】
取付台８１は、一対の側壁８１０を有する。取付台８１は、アルミダイカストによって形成されることが好ましい。ユニットカバー８２は、板金製であって、天板８２０、上前板８２２、下前板８２３などを有する（図９参照）。下前板２２３は、上前板８２２に対して下向きに傾くように形成されている。また、下前板８２３の中央に設けられている円形の窓孔に、非常用光源ユニット８のレンズ８０１が挿通されている。
【００５３】
常用光源ユニット２１０は、実施形態１の光源ユニット２００のカバー３と異なる形状のカバー３を有している。すなわち、実施形態２におけるカバー３は、カバー本体３０の一対の側板部３０２がそれぞれ長尺の平坦な矩形板状に形成されている点、及び、一対のエンド部材３１のそれぞれが矩形板状に形成されている点で実施形態１におけるカバー３と異なっている。
【００５４】
ここで、拡散部３０１は、ＬＥＤ１０との距離が相対的に近い中央部３０１Ａの透過率（光線透過率）を、中央部３０１Ａの上側の上部３０１Ｂ及び中央部３０１Ａの下側の下部３０１Ｃの透過率よりも低くなっていることが好ましい。例えば、拡散部３０１は、透過率が５０〜６０％程度の拡散材入り合成樹脂材料で形成される中央部３０１Ａと、透過率が７０〜８０％程度の拡散材入り合成樹脂材料で形成される上部３０１Ｂ及び下部３０１Ｃとで構成されることが好ましい（図１１参照）。拡散部３０１が上述のように構成されれば、中央部３０１Ａを透過する際に拡散されずに直進する光（光束）を減少させ、前板部３００の輝度の均斉度の向上を図ることができる。
【００５５】
また、実施形態２における配光パネル４は、両面（前面及び背面）ともに平坦に形成されている。ただし、実施形態２における配光パネル４は、多数の円形の模様（ドット）が前面に印刷されてもよい。さらに、実施形態２における配光パネル４の前面において、配光パネル４の短手方向（上下方向）における中央部４１の模様の密度（単位面積当たりの模様の個数）が、配光パネル４の中央部４１よりも上の部分４２及び下の部分４３の模様の密度よりも高いことが好ましい。配光パネル４が上述のように構成されれば、配光パネル４の中央部４１を通過して直進する光（光束）を減少させ、前板部３００の輝度の均斉度の向上を図ることができる。
【００５６】
ところで、実施形態２の光源ユニット２１０は、図１２に示す変形例１のように、拡散部３０１の中央部３０１Ａの前面に複数のプリズム３０１０が形成されてもよい。これらのプリズム３０１０はそれぞれ、三角柱状に形成されることが好ましい。そして、複数のプリズム３０１０はそれぞれ、上下方向に沿って平行に並ぶように配置されることが好ましい（図１２参照）。拡散部３０１が上述のように構成されれば、中央部３０１Ａを透過する光（光束）を複数のプリズム３０１０で拡散させ、前板部３００の輝度の均斉度の向上を図ることができる。
【００５７】
あるいは、実施形態２の光源ユニット２１０は、図１３に示す変形例２のように、拡散部３０１の中央部３０１Ａに、断面形状がＶ字形の突起３０１１を有することが好ましい。突起３０１１は、拡散部３０１の長手方向（左右方向）の全長に渡って形成されることが好ましい。拡散部３０１が上述のように構成されれば、中央部３０１Ａを透過して直進する光（光束）を減少させ、前板部３００の輝度の均斉度の向上を図ることができる。
【符号の説明】
【００５８】
１  ＬＥＤモジュール（光源）
２  取付部材
３  カバー
４  配光パネル（配光制御部）
６  器具本体
７  配光パネル（配光制御部）
１０  ＬＥＤ（発光ダイオード）
１００  照明器具
２００  光源ユニット
３００  前板部（連結部、透光部）
３０１  拡散部
３０２  側板部（連結部）
３０６  保持溝
【図１】
0006631919.tif 000002
【図２】
0006631919.tif 000003
【図３】
0006631919.tif 000004
【図４】
0006631919.tif 000005
【図５】
0006631919.tif 000006
【図６】
0006631919.tif 000007
【図７】
0006631919.tif 000008
【図８】
0006631919.tif 000009
【図９】
0006631919.tif 000010
【図１０】
0006631919.tif 000011
【図１１】
0006631919.tif 000012
【図１２】
0006631919.tif 000013
【図１３】
0006631919.tif 000014